(57)【要約】  無線通信システムにおける、スーパーフレーム構造を用いた基地局のシステム情報の更新方法を提供する。前記方法は、システム情報の更新に関連するシステムスケジューリング情報を含む主要ヘッダ（ｐｒｉｍａｒｙ  ｈｅａｄｅｒ）を伝送するステップと、更新された補助ヘッダ（ｓｅｃｏｎｄａｒｙ  ｈｅａｄｅｒ）を伝送するステップとを含む。端末は、補助ヘッダ適用情報を介してどの時点から更新されたシステム情報を適用すべきかを知ることができる。
2013503547.tif 000002
【特許請求の範囲】
【請求項１】
無線通信システムにおける、スーパーフレーム構造を用いた基地局のシステム情報の更新方法において、
システム情報の更新に関連するシステムスケジューリング情報を含む主要ヘッダ（ｐｒｉｍａｒｙ  ｈｅａｄｅｒ）を伝送するステップと、
更新された補助ヘッダ（ｓｅｃｏｎｄａｒｙ  ｈｅａｄｅｒ）を伝送するステップとを含み、
前記システムスケジューリング情報は、前記更新された補助ヘッダの変更状態を示す補助ヘッダ変更状態情報、前記補助ヘッダ変更状態情報が現在のシステムに適用されるかを指示する補助ヘッダ適用情報（ｓｅｃｏｎｄａｒｙ  ｈｅａｄｅｒ  ａｐｐｌｙｉｎｇ  ｉｎｆｏ）、および前記更新された補助ヘッダを指示する補助ヘッダ変更指示子を含むことを特徴とするシステム情報の更新方法。
【請求項２】
前記補助ヘッダ適用情報は、前記補助ヘッダ変更状態情報が前記現在のシステムに適用されるか、または前のバージョン（ｖｅｒｓｉｏｎ）の補助ヘッダ変更状態情報が前記現在のシステムに適用されるかを指示することを特徴とする請求項１に記載のシステム情報の更新方法。
【請求項３】
前記補助ヘッダ適用情報は、前記現在のシステムに適用された補助ヘッダ変更状態情報と同一であることを特徴とする請求項１に記載のシステム情報の更新方法。
【請求項４】
前記補助ヘッダ適用情報は、前記更新された補助ヘッダの種類に応じて、少なくとも１回以上前記主要ヘッダを介して伝送されることを特徴とする請求項１に記載のシステム情報の更新方法。
【請求項５】
前記補助ヘッダ適用情報は、前記少なくとも１回以上伝送された後に、その値が変更されることを特徴とする請求項４に記載のシステム情報の更新方法。
【請求項６】
前記更新された補助ヘッダは、少なくとも１回以上伝送されることを特徴とする請求項４に記載のシステム情報の更新方法。
【請求項７】
前記主要ヘッダは、前記スーパーフレームの少なくとも１つのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅxｉｎｇ）シンボル（ｓｙｍｂｏｌｅ）を含むことを特徴とする請求項１に記載のシステム情報の更新方法。
【請求項８】
無線通信システムにおける、スーパーフレーム構造を用いた端末のシステム情報の更新方法において、
現在の補助ヘッダの変更状態を示す第１補助ヘッダ変更状態情報、前記第１補助ヘッダ変更状態情報の前のバージョンの第２補助ヘッダ変更状態情報、および前記第１補助ヘッダ変更状態情報のうちのいずれか１つがシステム情報に現在適用されることを指示する補助ヘッダ適用情報を含む主要ヘッダを、基地局から受信するステップと、
前記補助ヘッダ適用情報が前記第１補助ヘッダ変更状態情報を指示する場合、前記第１補助ヘッダ変更状態情報に基づいて前記システム情報を更新するステップとを含むことを特徴とするシステム情報の更新方法。
【請求項９】
前記補助ヘッダ適用情報が前記第２補助ヘッダ変更状態情報を指示する場合、前記システム情報を更新することなく前記基地局と通信を行うステップをさらに含むことを特徴とする請求項８に記載のシステム情報の更新方法。
【請求項１０】
前記補助ヘッダ適用情報は、前記現在の補助ヘッダの種類に応じて、少なくとも１回以上前記主要ヘッダを介して伝送されることを特徴とする請求項８に記載のシステム情報の更新方法。
【請求項１１】
前記補助ヘッダ適用情報は、前記第１補助ヘッダ変更状態情報または前記第２補助ヘッダ変更状態情報のうちのいずれか１つと同一であることを特徴とする請求項８に記載のシステム情報の更新方法。
【請求項１２】
前記主要ヘッダは、更新された補助ヘッダを指示する補助ヘッダ変更指示子をさらに含み、前記更新された補助ヘッダは、前記第２補助ヘッダ変更状態情報が前記第１補助ヘッダ変更状態情報に更新される原因を提供することを特徴とする請求項８に記載のシステム情報の更新方法。
【請求項１３】
前記更新された補助ヘッダを少なくとも１回以上受信するステップをさらに含むことを特徴とする請求項１２に記載のシステム情報の更新方法。
【発明の詳細な説明】
【技術分野】
【０００１】
本発明は、無線通信に関し、より詳細には、システム情報の更新方法に関する。
【背景技術】
【０００２】
システム情報（Ｓｙｓｔｅｍ  Ｉｎｆｏｒｍａｔｉｏｎ；ＳＩ）とは、現在のセルまたは隣接セルで用いるコード情報、電力水準などの無線環境に対する多様な情報を含む情報である。端末は、最初に基地局システムに登録（ｒｅｇｉｓｔｒａｔｉｏｎ）をする時、またはハンドオーバ（ｈａｎｄｏｖｅｒ）を介して新たな基地局に移る時、新たな基地局のシステム情報を受信しなければならない。端末は、システム情報を用いて基地局の状態を知ることができ、基地局へと接続時、その接続方法と手順を知ることができる。
【０００３】
特定端末のＲＲＣ（Ｒａｄｉｏ  Ｒｅｓｏｕｒｃｅ  Ｃｏｎｔｒｏｌ）階層と基地局のＲＲＣ階層とが互いにＲＲＣメッセージをやり取りできるように接続されている時、当該端末はＲＲＣ接続状態（Ｃｏｎｎｅｃｔｅｄ  ｓｔａｔｅ）にあり、接続されていない時、当該端末は休止状態（Ｉｄｌｅ  ｓｔａｔｅ）にあるという。端末が休止状態にあってからＲＲＣ接続状態に切り替えられる時は、基地局のシステム情報から知るようになった接続方式のとおり接続を試みる。
【０００４】
基地局は、必要に応じて、システム情報の全部または一部を更新（ｕｐｄａｔｅ）することができる。基地局は、更新されたシステム情報をシステムに適用する前に、システム情報の更新の有無をまず端末に知らせ、端末が更新されたシステム情報の受信を準備するようにしている。
【０００５】
従来の技術では、更新されたシステム情報がただ１回しか伝送されていなかったため、更新されたシステム情報が伝送される無線フレームの受信に失敗した端末は、更新されたシステム情報が受信されるまでシステム接続ができない問題があった。通常のシステム情報の伝送周期は比較的長い時間に設定されるため、更新されたシステム情報の受信に失敗した端末が、次のシステム情報の伝送時点にシステム情報を受信する時点までの通信不能時間も長くなってしまい、これは、結局、端末のサービス品質を低下させる要因となっていた。したがって、より信頼性のあるシステム情報の更新方法が要求される。
【先行技術文献】
【特許文献】
【０００６】
【特許文献１】米国特許出願公開第２０１０−０２２２０５５号
【特許文献２】米国特許出願公開第２００６−０１５９０６１号
【発明の概要】
【発明が解決しようとする課題】
【０００７】
本発明の技術的課題は、無線通信システムにおける、システム情報を信頼性あるように更新する方法を提供することにある。
【課題を解決するための手段】
【０００８】
本発明の一態様によれば、無線通信システムにおける、スーパーフレーム構造を用いた基地局のシステム情報の更新方法を提供する。前記方法は、システム情報の更新に関連するシステムスケジューリング情報を含む主要ヘッダ（ｐｒｉｍａｒｙ  ｈｅａｄｅｒ）を伝送するステップと、更新された補助ヘッダ（ｓｅｃｏｎｄａｒｙ  ｈｅａｄｅｒ）を伝送するステップとを含む。
【０００９】
前記システムスケジューリング情報は、前記更新された補助ヘッダの変更状態を示す補助ヘッダ変更状態情報、前記補助ヘッダ変更状態情報が現在のシステムに適用されるかを指示する補助ヘッダ適用情報（ｓｅｃｏｎｄａｒｙ  ｈｅａｄｅｒ  ａｐｐｌｙｉｎｇ  ｉｎｆｏ）、および前記更新された補助ヘッダを指示する補助ヘッダ変更指示子を含む。
【００１０】
本発明の他の態様によれば、無線通信システムにおける、スーパーフレーム構造を用いた端末のシステム情報の更新方法を提供する。前記方法は、現在の補助ヘッダの変更状態を示す第１補助ヘッダ変更状態情報、前記第１補助ヘッダ変更状態情報の前のバージョンの第２補助ヘッダ変更状態情報、および前記第１補助ヘッダ変更状態情報のうちのいずれか１つがシステム情報に現在適用されることを指示する補助ヘッダ適用情報を含む主要ヘッダを、基地局から受信するステップと、前記補助ヘッダ適用情報が前記第１補助ヘッダ変更状態情報を指示する場合、前記第１補助ヘッダ変更状態情報に基づいて前記システム情報を更新するステップとを含む。
【発明の効果】
【００１１】
端末が特定の時点にシステム情報の受信に失敗しても、前記更新されたシステム情報が実際のシステムに適用される前の他の時点にシステム情報を受信することができ、安定した通信が可能になる。そして、端末は、補助ヘッダ適用情報を介してどの時点から更新されたシステム情報を適用すべきかを知ることができる。サービス中の移動端末が、サービス品質を低下させることなくシステム情報を更新することができるという効果がある。
【図面の簡単な説明】
【００１２】
【図１】無線通信システムを示すブロック図である。
【図２】フレーム構造の一例を示す。
【図３】本発明の一例によるシステムスケジューリング情報の伝送方法を説明する説明図である。
【図４】本発明の一例による端末のシステム情報の更新方法を示すフローチャートである。
【図５】本発明の一例による基地局のシステム情報の更新方法を示すフローチャートである。
【図６】本発明の他の例によるシステムスケジューリング情報の伝送方法を説明する説明図である。
【図７】本発明の一例によるシステム情報の伝送方法を説明するフローチャートである。
【図８】本発明の一例によるシステム情報の更新方法を説明するフローチャートである。
【図９】本発明の他の例によるシステム情報の更新方法を説明するフローチャートである。
【図１０】本発明の他の例によるシステム情報の更新方法を説明するフローチャートである。
【発明を実施するための形態】
【００１３】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）などのような多様な無線通信システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で実現可能である。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術で実現可能である。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２−２０、Ｅ−ＵＴＲＡ（Ｅｖｏｌｖｅｄ  ＵＴＲＡ）などのような無線技術で実現可能である。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部として、ダウンリンクにおいてＯＦＤＭＡを採用し、アップリンクにおいてＳＣ−ＦＤＭＡを採用する。
【００１４】
図１は、無線通信システムを示すブロック図である。無線通信システムは、音声、パケット（ｐａｃｋｅｔ）データなどのような多様な通信サービスを提供するために広く配置される。
【００１５】
図１を参照すれば、無線通信システムは、端末１０（Ｕｓｅｒ  Ｅｑｕｉｐｍｅｎｔ、ＵＥ）と、基地局２０（Ｂａｓｅ  Ｓｔａｔｉｏｎ、ＢＳ）とを含む。端末１０は、固定されるかまたは移動性を有することができ、ＭＳ（Ｍｏｂｉｌｅ  Ｓｔａｔｉｏｎ）、ＡＭＳ（Ａｄｖａｎｃｅｄ  Ｍｏｂｉｌｅ  Ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（ｗｉｒｅｌｅｓｓ  ｄｅｖｉｃｅ）など、別の用語で呼ばれることがある。基地局２０は、一般的に、端末１０と通信する、固定された支点（ｆｉｘｅｄ  ｓｔａｔｉｏｎ）をいい、ＡＢＳ（Ａｄｖａｎｃｅｄ  Ｂａｓｅ  Ｓｔａｔｉｏｎ）、ノード−Ｂ（Ｎｏｄｅ−Ｂ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）など、別の用語で呼ばれることがある。１つの基地局２０には、１つ以上のセルが存在することができる。
【００１６】
以下、ダウンリンク（ｄｏｗｎｌｉｎｋ；ＤＬ）とは、基地局２０から端末１０への通信を意味し、アップリンク（ｕｐｌｉｎｋ；ＵＬ）とは、端末１０から基地局２０への通信を意味する。ダウンリンクにおいて、送信機は基地局２０の一部であり得、受信機は端末１０の一部であり得る。アップリンクにおいて、送信機は端末１０の一部であり得、受信機は基地局２０の一部であり得る。説明の明確化のために、ＩＥＥＥ８０２．１６ｍを中心に述べるが、本発明の技術的思想はこれに制限されるものではない。
【００１７】
図２は、フレーム構造の一例を示す。
【００１８】
図２を参照すれば、スーパーフレーム（Ｓｕｐｅｒｆｒａｍｅ）は、スーパーフレームヘッダ（Ｓｕｐｅｒｆｒａｍｅ  Ｈｅａｄｅｒ）と、４個のフレーム（Ｆｒａｍｅ０〜Ｆｒａｍｅ３）とを含む。スーパーフレームを用いる場合、頻繁に伝送される必要のない制御情報の伝送周期がスーパーフレーム単位で増加することができ、伝送の効率性を向上させることができる。また、データの割り当てとスケジューリングは、最も頻繁にはフレーム単位で行われるようにすることで、再送メカニズムを考慮したデータ伝送の遅延特性を低減することができる。
【００１９】
１個のフレームは、８個のサブフレーム（Ｓｕｂｆｒａｍｅ；ＳＦ０、ＳＦ１、ＳＦ２、ＳＦ３、ＳＦ４、ＳＦ５、ＳＦ６、ＳＦ７）を含む。各サブフレームは、アップリンクまたはダウンリンク伝送のために用いることができる。サブフレームは、６個または７個のＯＦＤＭシンボルから構成されるが、これは、例示に過ぎない。フレームには、ＴＤＤ（Ｔｉｍｅ  Ｄｉｖｉｓｉｏｎ  Ｄｕｐｌｅｘｉｎｇ）またはＦＤＤ（Ｆｒｅｑｕｅｎｃｙ  Ｄｉｖｉｓｉｏｎ  Ｄｕｐｌｅｘｉｎｇ）が適用可能である。ＴＤＤにおいて、各サブフレームが同じ周波数で互いに異なる時間にアップリンクまたはダウンリンクに用いられる。つまり、ＴＤＤフレーム内のサブフレームは、時間領域でアップリンクサブフレームとダウンリンクサブフレームとに区分される。ＦＤＤにおいて、各サブフレームが同じ時間に互いに異なる周波数でアップリンクまたはダウンリンクに用いられる。つまり、ＦＤＤフレーム内のサブフレームは、周波数領域でアップリンクサブフレームとダウンリンクサブフレームとに区分される。アップリンク伝送とダウンリンク伝送は、互いに異なる周波数帯域を占めており、同時に実施できる。
【００２０】
スーパーフレームヘッダは、スーパーフレームの最も先に配置され、共用制御チャネル（Ｃｏｍｍｏｎ  Ｃｏｎｔｒｏｌ  Ｃｈａｎｎｅｌ）が割り当てられる。共用制御チャネルは、スーパーフレームを構成するフレームに関する情報またはシステム情報のように、セル内のすべての端末が共通して活用できる制御情報を伝送するために用いられるチャネルである。スーパーフレームヘッダには、主スーパーフレームヘッダ（Ｐｒｉｍａｒｙ  Ｓｕｐｅｒｆｒａｍｅ  Ｈｅａｄｅｒ；Ｐ−ＳＦＨ）と、補助スーパーフレームヘッダ（Ｓｅｃｏｎｄａｒｙ  Ｓｕｐｅｒ  ｆｒａｍｅ  Ｈｅａｄｅｒ；Ｓ−ＳＦＨ）とがある。主スーパーフレームヘッダは、スーパーフレームごとに含まれ、現スーパーフレームに含まれている補助スーパーフレームの有無および現スーパーフレームで支援するシステム情報の変更状態情報などを知らせる。
【００２１】
補助スーパーフレームヘッダは、その性格に応じて、３種類（ｔｙｐｅ）の補助スーパーフレームヘッダサブパケット（Ｓ−ＳＦＨ  ＳｕｂＰａｃｋｅｔ；Ｓ−ＳＦＨ  ＳＰ）に分けられ、各補助スーパーフレームヘッダサブパケットは、移動端末が基地局に接続するために知るべきシステム情報を移動端末に放送伝送するために用いられる。各補助スーパーフレームヘッダサブパケットは、それに含まれているシステム情報の性格に応じて、互いに異なる伝送周期により伝送できる。例えば、補助スーパーフレームヘッダサブパケット１は２スーパーフレーム周期、補助スーパーフレームヘッダサブパケット２は３スーパーフレーム周期、補助スーパーフレームヘッダサブパケット３は４スーパーフレーム周期で伝送できる。
【００２２】
以下において、便宜上、主スーパーフレームヘッダ（Ｐ−ＳＦＨ）を主要ヘッダ（ｐｒｉｍａｒｙ  ｈｅａｄｅｒ）とし、補助スーパーフレームヘッダ（Ｓ−ＳＦＨ）を補助ヘッダ（ｓｅｃｏｎｄａｒｙ  ｈｅａｄｅｒ）と略称する。
【００２３】
主要ヘッダは各スーパーフレームの最初のフレームに含まれ、主要ヘッダは、下記の表のようなシステムスケジューリング情報（ｓｙｓｔｅｍ  ｓｃｈｅｄｕｌｉｎｇ  ｉｎｆｏｒｍａｔｉｏｎ）を含む。
【表１】
2013503547.tif 000003
【００２４】
補助ヘッダ変更状態情報（Ｓ−ＳＦＨ  Ｃｈａｎｇｅ  Ｓｔａｔｅ  Ｉｎｆｏｒｍａｔｉｏｎ）は、補助ヘッダの変更状態を指示する情報であって、補助ヘッダ変更カウント（Ｓ−ＳＦＨ  Ｃｈａｎｇｅ  Ｃｏｕｎｔ）と呼ばれることもある。補助ヘッダ変更状態情報は、現在伝送される補助ヘッダの変更状態を示す情報である。補助ヘッダの状態の変更は、補助ヘッダを構成する、あるパラメータが変更される場合に発生する。補助ヘッダの状態が変更されない場合、補助ヘッダ変更状態情報は変わらず、補助ヘッダの状態が変更されると、補助ヘッダ変更状態情報は１モジュロ（ｍｏｄｕｌｏ）１６だけ増加する。端末は、補助ヘッダ変更状態情報に基づいて補助ヘッダの変更の有無を把握することができる。仮に、端末が新たに受信した補助ヘッダ変更状態情報が前に受信した補助ヘッダ変更状態情報と同一であれば、補助ヘッダが変更されないことが分かるため、前記新たに受信した補助ヘッダ変更状態情報に応じた補助ヘッダをデコーディングしなくてもよい。仮に、端末が新たに受信した補助ヘッダ変更状態情報が前に受信した補助ヘッダ変更状態情報とは異なると、補助ヘッダが変更されることが分かるため、前記新たに受信した補助ヘッダ変更状態情報に応じた補助ヘッダをデコーディングする。
【００２５】
補助ヘッダ変更指示子（Ｓ−ＳＦＨ  Ｃｈａｎｇｅ  Ｉｎｄｉｃａｔｏｒ）は、どの種類（ｔｙｐｅ）の補助ヘッダの状態に変更が発生したかを指示する情報であって、補助ヘッダサブパケット変更ビットマップ（Ｓ−ＳＦＨ  ＳＰ  Ｃｈａｎｇｅ  Ｂｉｔｍａｐ）と呼ばれることもある。補助ヘッダ変更指示子は、ビットマップ形式であって、各ビットは、対応する特定種類の補助ヘッダサブパケットの変更状態を指示する。例えば、３個の補助ヘッダサブパケットに対し、補助ヘッダ変更指示子は３ビットで、１番目、２番目、３番目のビットは、それぞれ第１補助ヘッダサブパケット、第２補助ヘッダサブパケット、第３補助ヘッダサブパケットにマッピングされる。仮に、いずれか１つの補助ヘッダサブパケットが変更されれば、前記変更された補助ヘッダサブパケットに対応するビットが１に設定される。補助ヘッダサブパケットの変更により、補助ヘッダの状態に変更が発生したものであるため、補助ヘッダ変更状態情報が１だけ増加する。
【００２６】
補助ヘッダの状態が一度変更されると、すべての補助ヘッダのパラメータは、補助ヘッダ変更状態情報が再び変更される前まで少なくとも１つの補助ヘッダ変更サイクル（ｃｈａｎｇｅ  ｃｙｃｌｅ）の間に変更されずに維持される（ｒｅｍａｉｎｕｎ  ｃｈａｎｇｅｄ）。
【００２７】
変更された補助ヘッダを端末が十分に受信するように保障するために、前記変更された補助ヘッダは、少なくとも１つ以上のスーパーフレームにわたって繰り返し伝送されることが可能である。
【００２８】
本発明にかかるシステム情報の更新過程は、大別して２つに分けられる。第一は、基地局が更新されたシステム情報を端末に知らせる過程であり、第二は、基地局が前記更新されたシステム情報を実際のシステムに適用するかを端末に知らせる過程である。これら２つの過程は互いに独立して進行することができる。例えば、基地局は、新たなシステム情報を数回予め端末に通知した後、適切な時点に新たなシステム情報を適用することができる。つまり、端末は、更新されたシステム情報を受信したからといって直ちに適用するのではなく、更新されたシステム情報の適用に関する情報に基づいて前記更新されたシステム情報を適用する。更新されたシステム情報の伝送と、更新されたシステム情報の適用とが分離されるため、基地局は、更新されたシステム情報の適用に関する情報をシステムスケジューリング情報に含めて端末に伝送しなければならない。前記システム情報の適用に関する情報を補助ヘッダ適用情報（Ｓ−ＳＦＨ  Ａｐｐｌｙｉｎｇ  Ｉｎｆｏｒｍａｔｉｏｎ）といい、表２のようなシステムスケジューリング情報に含まれる。
【表２】
2013503547.tif 000004
【００２９】
表２において、補助ヘッダ変更状態情報と補助ヘッダ変更指示子は、上記表１で説明されたとおりである。
【００３０】
補助ヘッダ適用情報は、現スーパーフレームにおいて、システムに適用された補助ヘッダがどのような補助ヘッダ変更状態情報に関するものであるかを明示的に（ｅｘｐｌｉｃｉｔｌｙ）指示する情報であって、補助ヘッダ適用オフセット（Ｓ−ＳＦＨ  Ａｐｐｌｙｉｎｇ  Ｏｆｆｓｅｔ）と呼ばれることがある。
【００３１】
一例として、補助ヘッダ適用情報は、現在伝送されるバージョンの補助ヘッダ変更状態情報が現在のシステムに適用されるか否かを指示する１ビット情報である。例えば、補助ヘッダ適用情報が１を表す場合、補助ヘッダ適用情報は、現在伝送されるバージョンの補助ヘッダ変更状態情報が現在のシステムに適用されるものではないことを指示する。この場合、前に伝送され格納されたバージョンの補助ヘッダ変更状態情報が現在のシステムに適用される。つまり、現在伝送される補助ヘッダ変更状態情報のバージョンと、実際のシステムに適用された補助ヘッダ変更状態情報のバージョンとが異なる状態である。反面、補助ヘッダ適用情報が０の場合、現在伝送される補助ヘッダ変更状態情報が実際のシステムに適用された状態である。これは、現在のシステムには、現在伝送されるバージョンの補助ヘッダ変更状態情報が適用されていることを指示する。
【００３２】
他の例として、補助ヘッダ適用情報は、現在のシステムに適用された補助ヘッダ変更状態情報と同一の情報である。つまり、補助ヘッダ適用情報は、現在のシステムに適用された補助ヘッダ変更状態情報のバージョンを直接知らせる。例えば、現在伝送される補助ヘッダ変更状態情報が０ｘ０１、現在のシステムに適用された補助ヘッダ変更状態情報が０ｘ００とする。この場合、補助ヘッダ適用情報は、現在のシステムに適用された補助ヘッダ変更状態情報の０ｘ００と同じである。
【００３３】
前のシステム情報が実際のシステムに適用された状態において、新たなシステム情報を伝送し、新たなシステム情報が実際のシステムに適用されることを一定時間の間予め予告することにより、端末がシステム情報の更新に失敗する確率を減少させることができる。
【００３４】
図３は、本発明の一例によるシステムスケジューリング情報の伝送方法を説明する説明図である。
【００３５】
図３を参照すれば、システム情報の更新は、システム情報の更新前ステップ（Ｔ０〜Ｔ１）と、システム情報の更新準備ステップ（Ｔ１〜Ｔ２）と、システム情報の更新完了ステップ（Ｔ２〜Ｔ３）とに区分される。
【００３６】
システム情報の更新前ステップ（Ｔ０〜Ｔ１）をみると、基地局は、スーパーフレームごとの主要ヘッダを介して補助ヘッダ変更状態情報１を伝送する。また、基地局は、補助ヘッダ変更状態情報１に関連する第１補助ヘッダを一定時間間隔で伝送する。現在のシステムに適用された情報は、補助ヘッダ変更状態情報１である。つまり、現在伝送中のシステム情報と、現在のシステムに適用されたシステム情報とが同一である。したがって、補助ヘッダ適用情報は０を指示する。
【００３７】
次に、システム情報の更新準備ステップ（Ｔ１〜Ｔ２）をみると、基地局は、スーパーフレームごとの主要ヘッダを介して新たな補助ヘッダ変更状態情報１およびそれに応じて変更された第２補助ヘッダを伝送しており、システムに適用された情報は依然として前の補助ヘッダ変更状態情報１である。つまり、現在伝送中のシステム情報と、現在のシステムに適用されたシステム情報とが互いに異なる。したがって、補助ヘッダ適用情報は１を指示する。補助ヘッダ適用情報が１を指示するとは、現在のシステムに適用されたものは補助ヘッダ変更状態情報１であるものの、近く新たな補助ヘッダ変更状態情報２がシステムに適用される予定であることを示す。したがって、端末は、補助ヘッダ変更状態情報２を受信して格納する。
【００３８】
最後に、システム情報の更新完了ステップ（Ｔ２〜Ｔ３）をみると、現在の基地局は、新たな補助ヘッダ変更状態情報２およびそれに応じた第２補助ヘッダを伝送しており、システムに適用された情報も新たな補助ヘッダ変更状態情報２である。つまり、現在伝送中のシステム情報と、現在のシステムに適用されたシステム情報とが互いに同一である。したがって、補助ヘッダ適用情報は０を指示する。
【００３９】
端末は、更新されるシステム情報を予め受けて準備をすることができるため、システム情報の受信の失敗に備えることができる。
【００４０】
図３では、第１補助ヘッダと第２補助ヘッダを２スーパーフレームごとに伝送するとして示したが、これは例示に過ぎず、各補助ヘッダが数個のスーパーフレームにわたって、少なくとも１回以上伝送されることを想定する、本発明の技術的思想を制限するものではない。
【００４１】
図４は、本発明の一例による端末のシステム情報の更新方法を示すフローチャートである。そして、主要ヘッダは、システム情報の更新に関連する情報の集合であるシステムスケジューリング情報を含む。端末は、システムスケジューリング情報を用いてシステム情報の更新の有無を知ることができる。
【００４２】
図４を参照すれば、端末は、主要ヘッダを読み出すたびに、主要ヘッダに含まれているシステムスケジューリング情報を受信して格納する（Ｓ４００）。前記システムスケジューリング情報は、補助ヘッダ変更状態情報、補助ヘッダ変更指示子、補助ヘッダ適用情報を含む。
【００４３】
端末は、システムスケジューリングに含まれている補助ヘッダ変更状態情報を参照して、前に格納した補助ヘッダ変更状態情報１と、新たに受信した補助ヘッダ変更状態情報２とが同一であるか否かを判断する（Ｓ４０５）。仮に、補助ヘッダ変更状態情報１と補助ヘッダ変更状態情報２とが同一の場合、端末は、補助ヘッダ変更状態情報２に関連する補助ヘッダを受信せず、システム情報も補助ヘッダ変更状態情報１に維持する（Ｓ４１０）。補助ヘッダ変更状態情報１と補助ヘッダ変更状態情報２とが同一の場合には、端末は、既存の補助ヘッダ変更状態情報１に関連する補助ヘッダに応じたシステム情報に基づいて通信を行い続けることができるからである。
【００４４】
反面、補助ヘッダ変更状態情報１と補助ヘッダ変更状態情報２とが異なる場合には、端末は、補助ヘッダ変更状態情報２に関連する補助ヘッダを受信したかを判断する（Ｓ４１５）。具体的には、前記補助ヘッダ変更状態情報２に関連する補助ヘッダは、補助ヘッダ変更指示子により変更されたと表示された補助ヘッダである。
【００４５】
仮に、端末が補助ヘッダ変更状態情報２に関連する補助ヘッダを受信していなければ、端末は、補助ヘッダ変更状態情報２に関連する補助ヘッダを受信し（Ｓ４２０）、補助ヘッダ適用情報が０であるかを判断する（Ｓ４２５）。仮に、端末が補助ヘッダ変更状態情報２に関連する補助ヘッダを受信していれば、直ちに補助ヘッダ適用情報が０であるかを判断する（Ｓ４２５）。
【００４６】
ステップＳ４２５において、補助ヘッダ適用情報が０ではない１であれば、システム情報がまだ更新されていないことを意味するため、端末は、システム情報を補助ヘッダ変更状態情報１に維持する（Ｓ４１０）。
【００４７】
仮に、補助ヘッダ適用情報が０であれば、基地局が補助ヘッダ変更状態情報２に応じてシステム情報を更新したことを意味するため、端末は、補助ヘッダ変更状態情報２に更新する（Ｓ４３０）。その後、補助ヘッダ変更状態情報２を格納する（Ｓ４３５）。
【００４８】
このように、システムスケジューリング情報に含まれている補助ヘッダ変更状態情報と適用された補助ヘッダ指示子を用いると、端末は、補助ヘッダ変更状態情報を介して新たなシステム情報を選択的に受信することにより、デコーディングの負担を低減できるだけでなく、新たなシステム情報を適用する前に予め受信することにより、システム情報の受信の失敗による問題を解決することができる。また、端末は、補助ヘッダ適用情報を介して現在の基地局に適用されたシステム情報をモニタリング（ｍｏｎｉｔｏｒｉｎｇ）し続けることができ、自身に適用されたシステム情報が最新（ｕｐ  ｔｏ  ｄａｔｅ）であるか、または更新されるべきかを明確に知ることができる。
【００４９】
図５は、本発明の一例による基地局のシステム情報の更新方法を示すフローチャートである。
【００５０】
図５を参照すれば、基地局は、システム情報の更新が必要であるかを判断する（Ｓ５００）。仮に、システム情報の更新が必要でなければ、基地局は、補助ヘッダ適用情報を０に設定する（Ｓ５３０）。仮に、システム情報の更新が必要であれば、基地局は、補助ヘッダ適用情報を１に設定する（Ｓ５０５）。そして、基地局は、補助ヘッダ変更状態情報を更新する（Ｓ５１０）。補助ヘッダ変更状態情報の更新とは、補助ヘッダ変更状態情報が１モジュロ（ｍｏｄｕｌｏ）１６だけ増加することを意味する。
【００５１】
基地局は、前記更新された補助ヘッダ変更状態情報、補助ヘッダ変更状態情報の更新により更新された補助ヘッダ変更指示子、および前記１に設定された補助ヘッダ適用情報を含む新たなシステムスケジューリング情報を端末に伝送する（Ｓ５１５）。前記新たなシステムスケジューリング情報は、スーパーフレームごとの主要ヘッダに含まれて伝送される。
【００５２】
端末の立場からして、補助ヘッダ適用情報が１であれば、現在伝送される補助ヘッダ変更状態情報と、実際のシステムに適用された補助ヘッダ変更状態情報とが互いに異なることが分かる。したがって、端末は、新たなシステムスケジューリング情報を受信しても、更新前の補助ヘッダ変更状態情報に応じてシステムを維持する。
【００５３】
基地局は、前記１に設定された補助ヘッダ適用情報が十分に伝送されたかを判断する（Ｓ５２０）。例えば、補助ヘッダサブパケット１が変更された場合、補助ヘッダ適用情報は、変更された補助ヘッダサブパケット１が２回伝送されるまで繰り返し伝送される。また、補助ヘッダサブパケット２が変更された場合、補助ヘッダ適用情報は、変更された補助ヘッダサブパケット２が２回伝送されるまで繰り返し伝送される。さらに、補助ヘッダサブパケット３が変更された場合、補助ヘッダ適用情報は、変更された補助ヘッダサブパケット３が１回伝送されるまで繰り返し伝送される。
【００５４】
基地局は、前記１に設定された補助ヘッダ適用情報および補助ヘッダ情報が十分に伝送されると、システム情報を更新する（Ｓ５２５）。システム情報の更新とは、前記更新された補助ヘッダ変更状態情報をシステムに適用することを意味する。更新された補助ヘッダ変更状態情報がシステムに適用されると、現在伝送される補助ヘッダ変更状態情報と、実際のシステムに適用された補助ヘッダ変更状態情報とが同一になるため、基地局は、補助ヘッダ適用情報を０に設定する（Ｓ５３０）。その後、基地局は、０に設定された補助ヘッダ適用情報および前記更新された補助ヘッダ変更状態情報を含む新たなシステムスケジューリング情報を端末に繰り返し伝送する（Ｓ５４０）。
【００５５】
図６は、本発明の他の例によるシステムスケジューリング情報の伝送方法を説明する説明図である。
【００５６】
図６を参照すれば、スーパーフレーム＃１〜＃８にわたって、システムスケジューリング情報が変更される過程をみることができる。各スーパーフレームは、主要ヘッダのみを含むか、主要ヘッダと補助ヘッダサブパケットをすべて含む。また、各主要ヘッダは、システムスケジューリング情報を含み、システムスケジューリング情報には、補助ヘッダ変更状態情報（Ｓ−ＳＦＨ  Ｃｈａｎｇｅ  Ｓｔａｔｅ  Ｉｎｆｏｒｍａｔｉｏｎ）、補助ヘッダ適用情報（Ｓ−ＳＦＨ  Ａｐｐｌｙｉｎｇ  Ｉｎｆｏｒｍａｔｉｏｎ）、および補助ヘッダ変更指示子（Ｓ−ＳＦＨ  Ｃｈａｎｇｅ  Ｉｎｄｉｃａｔｏｒ）がある。
【００５７】
下記の表は、前記システムスケジューリング情報を含む主要ヘッダフォーマットの例を示す。
【表３】
2013503547.tif 000005
【００５８】
スーパーフレーム＃１および＃２からみると、補助ヘッダ変更状態情報と補助ヘッダ適用情報はすべて０ｘ００の状態であり、補助ヘッダ変更指示子は０ｂ０００である。基地局がシステム情報を更新しようとする場合、まず、補助ヘッダ変更状態情報を０ｂ０１に更新して新たなシステム情報への変更を予告する。更新された補助ヘッダ変更状態情報は、すべての端末が受信に成功することができるように所定時間の間繰り返し伝送され、図６では、スーパーフレーム＃３〜＃７にわたって、０ｘ０１に更新された補助ヘッダ変更状態情報が繰り返し伝送される。
【００５９】
これとともに、基地局は、新たな補助ヘッダの伝送を開始する。このとき、補助ヘッダ変更指示子は０ｂ１００に更新され、前記新たな補助ヘッダを指示することになる。しかし、補助ヘッダ適用情報は依然として現在のシステムに適用された更新前の補助ヘッダ変更状態情報の０ｘ００を指示する。これは、十分な時間の間システム情報の変更を予告した後、新たなシステム情報を適用するためである。これにより、端末が、システム情報が更新されることを特定の時間に逃がす現象を最少化することができる。
【００６０】
所定時間の間システムスケジューリング情報が伝送されたと判断すると、基地局は、スーパーフレーム＃８からシステム情報を補助ヘッダ変更指示子（０ｂ００１）に基づいて更新した後、補助ヘッダ適用情報を０ｘ０１に更新する。これにより、補助ヘッダ適用情報は、更新された補助ヘッダ変更状態情報を指示することになる。結果的に、補助ヘッダ変更状態情報と補助ヘッダ適用情報との値が同一になる。
【００６１】
図７は、本発明の一例によるシステム情報の伝送方法を説明するフローチャートである。
【００６２】
図７を参照すれば、基地局は、システムスケジューリング情報を更新する（Ｓ７００）。前記更新されたシステムスケジューリング情報は、補助ヘッダ変更状態情報、補助ヘッダ適用情報、および補助ヘッダ変更指示子を含む。前記補助ヘッダ変更状態情報は、前のバージョンの補助ヘッダ変更状態情報を１だけ増加させたものである。一方、前記補助ヘッダ変更指示子は、前記新たなシステム情報に関する新たな補助ヘッダを指示するように変更される。前記補助ヘッダ適用情報は、現スーパーフレームから伝送される補助ヘッダ変更状態情報と実際のシステムに適用された補助ヘッダ変更状態情報とが互いに異なることを指示するか、または実際のシステムに適用された補助ヘッダ変更状態情報自体を示す。前記更新されたシステムスケジューリング情報は、スーパーフレームの主要ヘッダに載せられる。
【００６３】
基地局は、前記主要ヘッダを端末に伝送する（Ｓ７１０）。基地局は、前記システムスケジューリング情報の更新の原因となった新たな補助ヘッダを端末に伝送する（Ｓ７２０）。ここで、基地局が端末に伝送することは、すべての端末が受信できるようにブロードキャスト（ｂｒｏａｄｃａｓｔ）またはマルチキャスト（ｍｕｌｔｉｃａｓｔ）することを意味するものである。前記主要ヘッダと前記新たな補助ヘッダは、１個のスーパーフレームに含まれていてもよく、互いに異なるスーパーフレームに含まれていてもよい。
【００６４】
端末は、前記更新されたシステムスケジューリング情報と前記新たな補助ヘッダを格納する（Ｓ７３０）。基地局は、前記主要ヘッダと前記新たな補助ヘッダをそれぞれ所定回数Ｎ、Ｍ繰り返し伝送する（Ｓ７４０）。端末は、前記更新されたシステムスケジューリング情報からシステム情報が近く変更されることを知ることができ、前記補助ヘッダ変更状態情報、前記補助ヘッダ適用情報、および前記補助ヘッダ変更指示子を比較することにより、システム情報の更新時点を判断することができる。
【００６５】
前記主要ヘッダと前記新たな補助ヘッダが所定回数繰り返し伝送された後、基地局は、前記補助ヘッダ変更状態情報のバージョンに応じてシステム情報を更新し（Ｓ７５０）、システムスケジューリング情報を２次的に更新する（Ｓ７６０）。ここで、更新されるのは補助ヘッダ適用情報であり、補助ヘッダ適用情報は、実際のシステムに適用された補助ヘッダ変更状態情報が現在伝送される補助ヘッダ変更状態情報と同一であることを指示するか、実際のシステムに適用された補助ヘッダ変更状態情報自体を指示するように変更される。前記２次更新されたシステムスケジューリング情報を含む主要ヘッダを端末に伝送する（Ｓ７７０）。端末は、前記２次更新されたシステム情報からシステム情報が更新されたことを認識し、前記更新されたシステム情報を適用して基地局と通信を行い続ける（Ｓ７８０）。
【００６６】
新たなシステム情報をシステムに適用する前に、更新されたシステム情報が更新されることを予告するシステムスケジューリング情報および新たな補助ヘッダを数回放送し、セル内に存在するすべての端末が当該情報を取得できるようにした後、システムを更新する。したがって、端末が特定の時点に更新されたシステム情報の受信に失敗しても、前記更新されたシステム情報が実際のシステムに適用される前の他の時点にシステム情報を受信することができ、安定した通信が可能になる。そして、端末は、補助ヘッダ適用情報を介してどの時点から更新されたシステム情報を適用すべきかを知ることができる。サービス中の移動端末が、サービス品質を低下させることなくシステム情報を更新することができるという効果がある。
【００６７】
図８は、本発明の一例によるシステム情報の更新方法を説明するフローチャートである。これは、基地局の立場で行われる手順である。
【００６８】
図８を参照すれば、基地局は、システム情報の更新が必要であるかを判断する（Ｓ８００）。仮に、システム情報の更新が必要でなければ、基地局は、補助ヘッダ変更状態情報、補助ヘッダ適用情報、および補助ヘッダ変更指示子を変更しない（Ｓ８１０）。
【００６９】
仮に、システム情報の更新が必要であれば、基地局は、変更された情報に応じて、主要ヘッダに含まれている補助ヘッダ変更状態情報、補助ヘッダ変更指示子、補助ヘッダ適用情報を更新する（Ｓ８２０）。一例として、前記補助ヘッダ適用情報は１ビットであり、現在のシステムに適用された補助ヘッダ変更状態情報と、現在伝送される補助ヘッダ変更状態情報とが互いに異なることを指示する。他の例として、前記補助ヘッダ適用情報は、補助ヘッダ変更状態情報と同じビット数であり、現在のシステムに適用された補助ヘッダ変更状態情報と同一である。
【００７０】
基地局は、変更された補助ヘッダサブパケットを端末に伝送する（Ｓ８３０）。
【００７１】
基地局は、システム情報メッセージが十分な所定時間の間繰り返し伝送されたかを判断する（Ｓ８４０）。仮に、システム情報メッセージが十分な所定時間の間繰り返し伝送されていれば、主要ヘッダに含まれている補助ヘッダ適用情報を更新し（Ｓ８５０）、変更されたシステム情報をシステムに適用する（Ｓ８６０）。
【００７２】
仮に、システム情報メッセージが十分な所定時間の間繰り返し伝送されていなければ、再び補助ヘッダサブパケットを伝送する（Ｓ８３０）。
【００７３】
このような方式により、基地局は、システムスケジューリング情報の更新とシステム情報の更新を端末に知らせることができる。
【００７４】
図９および図１０は、本発明の他の例によるシステム情報の更新方法を説明するフローチャートである。これは、端末の立場で行われる手順である。
【００７５】
図９および図１０を参照すれば、端末は、主要ヘッダを受信する（Ｓ９００）。主要ヘッダは、システムスケジューリング情報を含み、システムスケジューリング情報は、補助ヘッダ変更状態情報、補助ヘッダ適用情報、および補助ヘッダ変更指示子を含む。端末は、前のスーパーフレームから受信した補助ヘッダ変更状態情報と、現スーパーフレームから受信した補助ヘッダ変更状態情報との相違があるかを判断する（Ｓ９０１）。仮に、前に格納した補助ヘッダ変更状態情報と新たに受信した補助ヘッダ変更状態情報とが同一の場合には、システム情報の更新が必要でないと判断し、現スーパーフレームに含まれている補助ヘッダを受信しない（Ｓ９０２）。
【００７６】
仮に、前に格納した補助ヘッダ変更状態情報と新たに受信した補助ヘッダ変更状態情報とが異なる場合、補助ヘッダ適用情報を参照して、現在のシステムに前記新たに受信した補助ヘッダ変更状態情報が適用されたかを判断する（Ｓ９０３）。一例として、補助ヘッダ適用情報は１ビットであり、１であれば、現在のシステムに前記前に受信した補助ヘッダ変更状態情報が適用されることを指示し、０であれば、現在のシステムに前記新たに受信した補助ヘッダ変更状態情報が適用されることを指示する。他の例として、補助ヘッダ適用情報は、補助ヘッダ変更状態情報と同じビット数を有し、現在のシステムに適用された補助ヘッダ変更状態情報を示す。いずれの例においても、端末は、補助ヘッダ適用情報から現在のシステムに適用された補助ヘッダ変更状態情報を知ることができる。
【００７７】
仮に、実際のシステムに前記前に受信した補助ヘッダ変更状態情報が適用された場合、現在のシステム情報の更新が予定されているが、実際にシステム情報の更新は行われないため、端末は、前と同じシステム情報を用いてシステムを接続維持する（Ｓ９０４）。
【００７８】
一方、端末は、前記前に受信した補助ヘッダ変更指示子と前記新たに受信した補助ヘッダ変更指示子との間の変更されたビット数（第１ビット数）が、前記前に受信した補助ヘッダ変更状態情報と前記新たに受信した補助ヘッダ変更状態情報との間の変更されたビット数（第２ビット数）と同じであるかを判断する（Ｓ９０５）。
【００７９】
仮に、前記第１ビット数と前記第２ビット数とが同じであれば、端末は、補助ヘッダ変更指示子に変更されたと表示された新たな補助ヘッダサブパケットを受信すると決定する（Ｓ９０６）。
【００８０】
仮に、前記第１ビット数と前記第２ビット数とが異なると、端末は、基地局が管理するシステム情報と、端末が受信して管理するシステム情報との同期が合わないと判断し、すべての補助ヘッダサブパケットを受信すると決定する（Ｓ９０７）。
【００８１】
端末は、前記受信決定された補助ヘッダサブパケットを前に受信したかを判断する（Ｓ９０８）。
【００８２】
仮に、前記受信決定された補助ヘッダサブパケットが前に受信したものでなければ、端末は、前記受信決定された補助ヘッダサブパケットを受信する（Ｓ９０９）。
【００８３】
仮に、前記受信決定された補助ヘッダサブパケットが前に受信したものであれば、端末は手順を終了する。
【００８４】
さらにステップＳ９０３において、仮に、実際のシステムに前記新たに受信した補助ヘッダ変更状態情報が適用された場合、すでにシステムの更新が終了したことを意味するため、端末は、現在受信した補助ヘッダ変更状態情報に関連する補助ヘッダサブパケットを前に受信したかを判断する（Ｓ９１０）。
【００８５】
仮に、現在受信した補助ヘッダ変更状態情報に関連する補助ヘッダサブパケットを前に受信していなければ、端末は、補助ヘッダ変更指示子の値によりシステム情報が更新されるまでデータ通信を中断する（Ｓ９１１）。
【００８６】
その後、端末は、前に受信した補助ヘッダ変更指示子と新たに受信した補助ヘッダ変更指示子との間の変更されたビット数（第３ビット数）が、前に受信した補助ヘッダ変更状態情報と新たに受信した補助ヘッダ変更状態情報との間の変更されたビット数（第４ビット数）と同じであるかを判断する（Ｓ９１２）。
【００８７】
仮に、前記第３ビット数と前記第４ビット数とが同じであれば、端末は、補助ヘッダ変更指示子に変更されたと表示された新たな補助ヘッダサブパケットを受信してシステム情報を更新する（Ｓ９１３）。
【００８８】
仮に、前記第３ビット数と前記第４ビット数とが異なると、基地局が管理するシステム情報と、端末が受信して管理するシステム情報との同期が合わないと判断し、すべての補助ヘッダサブパケットを受信してシステム情報を更新する（Ｓ９１９）。
【００８９】
その後、端末は、補助ヘッダ変更状態情報と補助ヘッダ変更指示子を格納した後（Ｓ９１５）、更新されたシステム情報に基づいてデータ通信を再開する（Ｓ９１６）。
【００９０】
さらにステップＳ９１０において、仮に、端末が現在受信した補助ヘッダ変更状態情報に関連する補助ヘッダサブパケットを前に受信していれば、端末は、更新されたシステム情報でデータ通信を再開する（Ｓ９１６）。
【００９１】
上述したすべての機能は、上記機能を果たすようにコーディングされたソフトウェアやプログラムコードなどによるマイクロプロセッサ、コントローラ、マイクロコントローラ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのようなプロセッサにより実行できる。前記コードの設計、開発および実現は、本発明の説明に基づいて当業者にとって自明であるというべきである。
【００９２】
以上、本発明について実施形態を参照して説明したが、当該技術分野における通常の知識を有する者は、本発明の技術的思想および領域を逸脱しない範囲内で本発明を多様に修正および変更させて実施できることを理解することができる。したがって、上述した実施形態に限定されず、本発明は、以下の特許請求の範囲の範囲内のすべての実施形態を含むというべきである。
【図１】
2013503547.tif 000006
【図２】
2013503547.tif 000007
【図３】
2013503547.tif 000008
【図４】
2013503547.tif 000009
【図５】
2013503547.tif 000010
【図６】
2013503547.tif 000011
【図７】
2013503547.tif 000012
【図８】
2013503547.tif 000013
【図９】
2013503547.tif 000014
【図１０】
2013503547.tif 000015
【手続補正書】
【提出日】平成24年2月29日(2012.2.29)
【手続補正１】
【補正対象書類名】特許請求の範囲
【補正対象項目名】全文
【補正方法】変更
【補正の内容】
【特許請求の範囲】
【請求項１】
無線通信システムにおける、スーパーフレーム構造を用いた基地局のシステム情報の更新方法において、
システム情報の更新に関連するシステムスケジューリング情報を含む主要ヘッダ（ｐｒｉｍａｒｙ  ｈｅａｄｅｒ）を伝送するステップと、
更新された補助ヘッダ（ｓｅｃｏｎｄａｒｙ  ｈｅａｄｅｒ）を伝送するステップとを含み、
前記システムスケジューリング情報は、前記更新された補助ヘッダの変更状態を示す補助ヘッダ変更カウント、前記補助ヘッダ変更カウントが現在のシステムに適用されるかを指示する補助ヘッダ適用情報（ｓｅｃｏｎｄａｒｙ  ｈｅａｄｅｒ  ａｐｐｌｙｉｎｇ  ｉｎｆｏ）、および前記更新された補助ヘッダを指示する補助ヘッダ変更指示子を含むことを特徴とするシステム情報の更新方法。
【請求項２】
前記補助ヘッダ適用情報は、前記補助ヘッダ変更カウントが前記現在のシステムに適用されるか、または前のバージョン（ｖｅｒｓｉｏｎ）の補助ヘッダ変更カウントが前記現在のシステムに適用されるかを指示することを特徴とする請求項１に記載のシステム情報の更新方法。
【請求項３】
前記補助ヘッダ適用情報は、前記現在のシステムに適用された補助ヘッダ変更カウントと同一であることを特徴とする請求項１に記載のシステム情報の更新方法。
【請求項４】
前記補助ヘッダ適用情報は、前記更新された補助ヘッダの種類に応じて、少なくとも１回以上前記主要ヘッダを介して伝送されることを特徴とする請求項１に記載のシステム情報の更新方法。
【請求項５】
前記補助ヘッダ適用情報は、前記少なくとも１回以上伝送された後に、その値が変更されることを特徴とする請求項４に記載のシステム情報の更新方法。
【請求項６】
前記更新された補助ヘッダは、少なくとも１回以上伝送されることを特徴とする請求項４に記載のシステム情報の更新方法。
【請求項７】
前記主要ヘッダは、前記スーパーフレームの少なくとも１つのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅxｉｎｇ）シンボル（ｓｙｍｂｏｌ）を含むことを特徴とする請求項１に記載のシステム情報の更新方法。
【請求項８】
無線通信システムにおける、スーパーフレーム構造を用いた端末のシステム情報の更新方法において、
現在の補助ヘッダの変更状態を示す第１補助ヘッダ変更カウント、前記第１補助ヘッダ変更カウントの前のバージョンの第２補助ヘッダ変更カウント、および前記第１補助ヘッダ変更カウントのうちのいずれか１つがシステム情報に現在適用されることを指示する補助ヘッダ適用情報を含む主要ヘッダを、基地局から受信するステップと、
前記補助ヘッダ適用情報が前記第１補助ヘッダ変更カウントを指示する場合、前記第１補助ヘッダ変更カウントに基づいて前記システム情報を更新するステップとを含むことを特徴とするシステム情報の更新方法。
【請求項９】
前記補助ヘッダ適用情報が前記第２補助ヘッダ変更カウントを指示する場合、前記システム情報を更新することなく前記基地局と通信を行うステップをさらに含むことを特徴とする請求項８に記載のシステム情報の更新方法。
【請求項１０】
前記補助ヘッダ適用情報は、前記現在の補助ヘッダの種類に応じて、少なくとも１回以上前記主要ヘッダを介して伝送されることを特徴とする請求項８に記載のシステム情報の更新方法。
【請求項１１】
前記補助ヘッダ適用情報は、前記第１補助ヘッダ変更カウントまたは前記第２補助ヘッダ変更カウントのうちのいずれか１つと同一であることを特徴とする請求項８に記載のシステム情報の更新方法。
【請求項１２】
前記主要ヘッダは、更新された補助ヘッダを指示する補助ヘッダ変更指示子をさらに含み、前記更新された補助ヘッダは、前記第２補助ヘッダ変更カウントが前記第１補助ヘッダ変更カウントに更新される原因を提供することを特徴とする請求項８に記載のシステム情報の更新方法。
【請求項１３】
前記更新された補助ヘッダを少なくとも１回以上受信するステップをさらに含むことを特徴とする請求項１２に記載のシステム情報の更新方法。
【国際調査報告】
2013503547.tif 000016
2013503547.tif 000017
2013503547.tif 000018
2013503547.tif 000019